【手続補正書】
【提出日】平成29年6月8日(2017.6.8)
【手続補正１】
【補正対象書類名】明細書
【補正対象項目名】００５５
【補正方法】変更
【補正の内容】
【００５５】
上記検討された実施形態及び代替例の技術的特徴は、別の実施形態を創出するために、お互いに組み合わされてもよい。
（付記）
（付記１）
塗布材の噴霧を制御するためのバルブ（６３）の可動シャッタを形成し、噴霧ノズルのバレル（１３）の収納凹部（４）に配置される針（３、２０３、３０３）であって、前記収納凹部（４）は、前記収納凹部の長手方向の軸（Ｙ４）に沿って前記針（３、２０３、３０３）の軸方向の並進移動を案内するための案内面（Ｓ４）を定義し、前記針（３、２０３、３０３）は、前記塗布材を流すダクト（２）を遮断するためにシート（３３）に当接するのに適した形状を有する前端部（３ａ）と、前記針（３、２０３、３０３）の並進運動を制御するための手段（６）と相互作用する後部（３ｃ）と、前記前端部（３ａ）と前記後部（３ｃ）との間に形成される中央部（３ｂ）と、を備える、針（３、２０３、３０３）と、
前記針（３）の前端部（３ａ）に高電圧を印加することができる高電圧ユニット（１２）と、を備え、
前記収納凹部（４）の内部において、前記針の前記中央部（３ｂ、２０３ｂ、３０３ｂ）に少なくとも１つの第１凸部（８、２０８、３０８）が設けられ、前記第１凸部は、前記中央部（３ｂ）に沿って電気沿面距離を伸長することができる、
ことを特徴とする、塗布材の静電噴霧用噴霧ノズル（１）。
（付記２）
前記針（３、２０３）の前記中央部（３ｂ、２０３ｂ）上に複数の第１凸部（８、２０８）が配置され、且つ、前記第１凸部（８、２０８）は、前記針（３、２０３）の前記中央部（３ｂ、２０３ｂ）の包絡面（Ｓ３ｂ、Ｓ２０３ｂ）に対して中空部を形成する、
ことを特徴とする、付記１に記載の噴霧ノズル。
（付記３）
前記第１凸部（２０８）（１又は複数）は、前記針（２０３）の前記中央部（２０３ｂ）の前記包絡面（Ｓ２０３ｂ）に対して第１中空螺旋（２０８）を形成する、
ことを特徴とする、付記１又は２に記載の噴霧ノズル。
（付記４）
前記中央部（３０３ｂ）は、全体的に円筒形の部分（３１４）を備え、且つ、前記第１凸部（３０８）は、前記円筒形の部分（３１４）から突き出す突出螺旋（３０８）を形成する、
ことを特徴とする、付記１に記載の噴霧ノズル。
（付記５）
前記収納凹部（４）内に、少なくとも１つの第２凸部（９、３０９）が配置され、前記第１凸部（８、２０８、３０８）に面する、
ことを特徴とする、付記１乃至４のいずれか１つに記載の噴霧ノズル。
（付記６）
前記収納凹部（４）内に、複数の第２凸部（９、３０９）が配置され、且つ、前記第２凸部（９、３０９）は、前記針（３、２０３、３０３）を案内するための案内面（Ｓ４）に対して中空部を形成する、
ことを特徴とする、付記５に記載の噴霧ノズル。
（付記７）
前記第２凸部（３０９）は、前記針（３０３）を案内するための案内面（Ｓ４）に対して第２中空螺旋（３０９）を形成する、
ことを特徴とする、付記５又は６に記載の噴霧ノズル。
（付記８）
前記突出螺旋（３０８）及び前記第２中空螺旋（３０９）は、同一の方向にあり、
前記突出螺旋は、前記長手方向の軸（Ｙ４）に沿って計測された全体的に一定である第１の幅（Ｕ３０８）を有し、
前記第２中空螺旋は、前記長手方向の軸（Ｙ４）に沿って計測された全体的に一定である第２の幅（Ｕ３０９）を有し、
前記第１の幅（Ｕ３０８）は、前記第２の幅（Ｕ３０９）の１０％から５０％の間にある、
ことを特徴とする、付記４及び７に記載の噴霧ノズル。
（付記９）
前記突出螺旋（３０８）と前記第２中空螺旋（３０９）とは、反対の方向にある、
ことを特徴とする、付記４及び７に記載の噴霧ノズル。
（付記１０）
前記第１凸部（１又は複数）は、前記針（３）の前記中央部（３ｂ）の前記包絡面（Ｓ３ｂ）の直径（Ｄ３）に対して小さい直径（Ｄ８）を有する部分（８）を形成し、
前記第１凸部の直径（Ｄ８）は、前記針（３）の前記包絡面の直径（Ｄ３）の１５％から６０％の間にあり、
前記長手方向の軸（Ｙ４）に平行に計測された、第１凸部（８）のそれぞれが伸長して及ぶ長さ（Ｕ８）の合計は、前記針（３）の前記中央部（３ｂ）の、前記長手方向の軸（Ｙ４）に平行に計測された、長さ（Ｕ３ｂ）の１０％から５０％の間にある、
ことを特徴とする、付記１又は２に記載の噴霧ノズル。
（付記１１）
前記第２凸部は、直径（Ｄ９）が前記針（３）を案内するための案内面（Ｓ４）の直径の１０１％から２００％の間にある機械加工部（９）を形成し、前記長手方向の軸（Ｙ４）に平行に計測された、第２凸部（９）のそれぞれが伸長して及ぶ長さ（Ｕ９）は、第１凸部（８）のそれぞれが伸長して及ぶ長さ（Ｕ８）の１２０％から２００％の間にある、
ことを特徴とする、付記５又は６、及び１０に記載の噴霧ノズル。
（付記１２）
前記第１凸部（８、２０８、３０８）及び前記第２凸部（９、３０９）によって前記針（３、２０３、３０３）とその収納凹部（４）との間に形成された空間（Ｖ１）は、電気絶縁材料で満たされている、
ことを特徴とする、付記１乃至１１のいずれか１つに記載の噴霧ノズル。
（付記１３）
電源（１０）と、
塗布材の液だめ（２０）と、
塗布材を静電噴霧するための少なくとも１つの噴霧ノズル（１）と、
を備える塗布材の噴霧用設備（１００）であって、
前記噴霧ノズルは、付記１乃至１２のいずれか１つに記載の噴霧ノズルであることを特徴とする、
塗布材の噴霧用設備（１００）。
【手続補正２】
【補正対象書類名】特許請求の範囲
【補正対象項目名】請求項８
【補正方法】変更
【補正の内容】
【請求項８】
前記中央部（３０３ｂ）は、全体的に円筒形の部分（３１４）を備え、且つ、前記第１凸部（３０８）は、前記円筒形の部分（３１４）から突き出す突出螺旋（３０８）を形成し、且つ、
前記突出螺旋（３０８）及び前記第２中空螺旋（３０９）は、同一の方向にあり、
前記突出螺旋は、前記長手方向の軸（Ｙ４）に沿って計測された全体的に一定である第１の幅（Ｕ３０８）を有し、
前記第２中空螺旋は、前記長手方向の軸（Ｙ４）に沿って計測された全体的に一定である第２の幅（Ｕ３０９）を有し、
前記第１の幅（Ｕ３０８）は、前記第２の幅（Ｕ３０９）の１０％から５０％の間にある、
ことを特徴とする、請求項７に記載の噴霧ノズル。
【手続補正３】
【補正対象書類名】特許請求の範囲
【補正対象項目名】請求項９
【補正方法】変更
【補正の内容】
【請求項９】
前記中央部（３０３ｂ）は、全体的に円筒形の部分（３１４）を備え、且つ、前記第１凸部（３０８）は、前記円筒形の部分（３１４）から突き出す突出螺旋（３０８）を形成し、且つ、
前記突出螺旋（３０８）と前記第２中空螺旋（３０９）とは、反対の方向にある、
ことを特徴とする、請求項７に記載の噴霧ノズル。
【手続補正４】
【補正対象書類名】特許請求の範囲
【補正対象項目名】請求項１１
【補正方法】変更
【補正の内容】
【請求項１１】
前記収納凹部（４）内に、少なくとも１つの第２凸部（９、３０９）が配置され、前記第１凸部（８、２０８、３０８）に面し、且つ、
前記第２凸部は、直径（Ｄ９）が前記針（３）を案内するための案内面（Ｓ４）の直径の１０１％から２００％の間にある機械加工部（９）を形成し、前記長手方向の軸（Ｙ４）に平行に計測された、第２凸部（９）のそれぞれが伸長して及ぶ長さ（Ｕ９）は、第１凸部（８）のそれぞれが伸長して及ぶ長さ（Ｕ８）の１２０％から２００％の間にある、
ことを特徴とする、請求項１０に記載の噴霧ノズル。